(57)【要約】【課題】非ヒンジ構造において表示面の前後の傾き角度を簡易に調整することができる表示装置を提供する。【解決手段】前側に表示面を有する表示部１と、内外に螺子部３１，３２を有し、表示部１に軸心が前後方向となるように設けられた螺子筒３と、前記内の螺子部３１に螺着される雄螺子４と、前記外の螺子部３２に螺着されるナット５と、雄螺子４により螺子筒３に取着され、表示部１を起立状態で支持する脚体２とを備え、雄螺子４により脚体２を表示部１に対して前後へ相対回動可能に取着し、ナット５を回転操作することにより表示部１の前後の傾き角度を調整することができるようにした。【選択図】図１
2007322724.tif 000002
【特許請求の範囲】
【請求項１】
前側に表示面を有する表示部と、該表示部に取着手段により取着され、前記表示部を起立状態で支持する脚体とを備える表示装置において、前記取着手段は前記表示部及び脚体を前後へ相対回動可能としてあり、前記表示部又は脚体に軸心が前後方向となるように螺着され、前記表示部の前後の傾き角度を調整する調整螺子を備えることを特徴とする表示装置。
【請求項２】
前記調整螺子は前記取着手段と上下へ離隔する位置に設けてある請求項１記載の表示装置。
【請求項３】
前記取着手段は内外に螺子部を有し、前記表示部又は脚体に軸心が前後方向となるように設けられた螺子筒と、前記内の螺子部に螺着される雄螺子とを備え、前記調整螺子は前記外の螺子部に螺着されるナットである請求項１又は２記載の表示装置。
【請求項４】
前記取着手段は、大径及び小径の螺子部を有しており、前記表示部又は脚体に軸心が前後方向となるように設けられた螺子軸と、前記小径の螺子部に螺着される小ナットとを備え、前記調整螺子は前記大径の螺子部に螺着される大ナットである請求項１又は２記載の表示装置。
【請求項５】
前記螺子筒及び螺子軸は、上下及び横方向へ離隔する４箇所に設けてある請求項３又は４記載の表示装置。
【発明の詳細な説明】
【技術分野】
【０００１】
本発明は液晶表示装置、プラズマ表示装置等の表示装置に関する。
【背景技術】
【０００２】
液晶テレビ等の薄型の表示装置は、前側に表示面を有する表示部と、該表示部の後側に複数本のボルトにより取着され、表示部を起立状態で支持した脚体とを備えている（例えば、特許文献１参照）。
【０００３】
また、表示装置には、表示部を支持する脚体の上下途中をヒンジ構造とし、表示部の前後への傾き角度を調整可能とした表示装置も知られている（例えば、特許文献２参照）。
【特許文献１】特開２００５−１３４５９１
【特許文献２】特開２００３−３４８４９４
【発明の開示】
【発明が解決しようとする課題】
【０００４】
ところで、特許文献１のように表示部の後側に複数本のボルトにより脚体が取着される表示装置にあっては、表示部及び脚体の加工精度、組立て精度により表示部の表示面が鉛直方向に対して前後に傾くことがある。この傾きの角度は僅かであるが、比較的大型の表示装置にあっては、僅かな傾き角度であっても表示面の傾きが目立つことになり、改善策が要望されていた。
【０００５】
表示面の前後への傾きを調整可能とするには、特許文献２のように脚体の途中をヒンジ構造とすればよい。しかし、この場合、表示部の荷重により該表示部がヒンジ構造部分を中心として不用意に回動しないように構成する必要があるため、比較的大型の表示装置にあっては、回動を防ぐための構造が複雑になり、改善策が要望されていた。
【０００６】
本発明は斯かる事情に鑑みてなされたものであり、主たる目的は脚体を表示部に対して前後へ相対回動可能に取着し、表示部又は脚体に軸心が前後方向となるように螺着され表示部の前後の傾き角度を調整する調整螺子を設けることにより、非ヒンジ構造において表示面の前後の傾き角度を簡易に調整することができる表示装置を提供することにある。
【０００７】
また、他の目的は取着手段と上下へ離隔する位置に調整螺子を設けることにより、少ない本数の調整螺子により表示面の前後の傾き角度を調整することができる表示装置を提供することにある。
【０００８】
また、他の目的は内外に螺子部を有し、表示部又は脚体に軸心が前後方向となるように設けられた螺子筒と、前記内の螺子部に螺着される雄螺子とを備える取着手段を設け、調整螺子としてのナットを外の螺子部に螺着することにより、調整螺子を備える割に構造を簡単にできる表示装置を提供することにある。
【０００９】
また、他の目的は大径及び小径の螺子部を有し、表示部又は脚体に軸心が前後方向となるように設けられた螺子軸と、前記小径の螺子部に螺着される小ナットとを備える取着手段を設け、調整螺子としての大ナットを大径の螺子部に螺着することにより、調整螺子を備える割に構造を簡単にできる表示装置を提供することにある。
【００１０】
また、他の目的は螺子筒及び螺子軸を、上下及び横方向へ離隔する４箇所に設けることにより、表示面の鉛直方向に対する傾きをより一層正確に調整することができる表示装置を提供することにある。
【課題を解決するための手段】
【００１１】
本発明に係る表示装置は、前側に表示面を有する表示部と、該表示部に取着手段により取着され、前記表示部を起立状態で支持する脚体とを備える表示装置において、前記取着手段は前記表示部及び脚体を前後へ相対回動可能としてあり、前記表示部又は脚体に軸心が前後方向となるように螺着され、前記表示部の前後の傾き角度を調整する調整螺子を備えることを特徴とする。
【００１２】
この発明にあっては、調整螺子を操作することにより脚体に対して表示部を前後へ回動させることができ、表示面の鉛直方向に対する前後の傾き角度を簡易に調整することができる。
【００１３】
また、本発明に係る表示装置は、前記調整螺子は前記取着手段と上下へ離隔する位置に設けてあることを特徴とする。
【００１４】
この発明にあっては、取着手段に対して上又は下に調整螺子があるため、少ない本数の調整螺子により表示面の前後の傾き角度を調整することができ、調整螺子を備える割にコストを低減できる。
【００１５】
また、本発明に係る表示装置は、前記取着手段は内外に螺子部を有し、前記表示部又は脚体に軸心が前後方向となるように設けられた螺子筒と、前記内の螺子部に螺着される雄螺子とを備え、前記調整螺子は前記外の螺子部に螺着されるナットであることを特徴とする。
【００１６】
この発明にあっては、螺子筒の内の螺子部に雄螺子を螺着することにより脚体を表示部に取着することができ、また、螺子筒の外の螺子部に螺着されているナットを回転操作し、該ナットの螺子筒に対する前後位置を変えることにより表示部の脚体に対する前後の傾き角度を調整することができる。
【００１７】
また、本発明に係る表示装置は、前記取着手段は、大径及び小径の螺子部を有しており、前記表示部又は脚体に軸心が前後方向となるように設けられた螺子軸と、前記小径の螺子部に螺着される小ナットとを備え、前記調整螺子は前記大径の螺子部に螺着される大ナットであることを特徴とする。
【００１８】
この発明にあっては、螺子軸の小径の螺子部に小径ナットを螺着することにより脚体を表示部に取着することができ、また、螺子軸の大径の螺子部に螺着されている大ナットを回転操作し、該大ナットの螺子軸に対する前後位置を変えることにより表示部の脚体に対する前後の傾き角度を調整することができる。
【００１９】
また、本発明に係る表示装置は、前記螺子筒及び螺子軸は、上下及び横方向へ離隔する４箇所に設けてあることを特徴とする。
【００２０】
この発明にあっては、上下及び横方向へ離隔する４箇所に脚体を固定することができ、また、この４箇所の螺子筒に螺着されたナット又は４箇所の螺子軸に螺着された大ナットを回転操作することにより、表示部の傾き角度を微調整することができ、表示面の傾き角度をより一層正確に調整することができる。
【発明の効果】
【００２１】
以上詳述したように本発明によれば、調整螺子を操作することにより脚体に対して表示部を前後へ回動させることができ、表示面の鉛直方向に対する前後の傾き角度を簡易に調整することができる。
【００２２】
また、本発明によれば、取着手段に対して上又は下に調整螺子があるため、少ない本数の調整螺子により表示面の前後の傾き角度を調整することができ、調整螺子を備える割にコストを低減できる。
【００２３】
また、本発明によれば、螺子筒の内の螺子部に雄螺子を螺着することにより脚体を表示部に取着することができ、また、螺子筒の外の螺子部に螺着されているナットを回転操作し、該ナットの螺子筒に対する前後位置を変えることにより表示部の脚体に対する前後の傾き角度を調整することができる。
【００２４】
また、本発明によれば、螺子軸の小径の螺子部に小径ナットを螺着することにより脚体を表示部に取着することができ、また、螺子軸の大径の螺子部に螺着されている大ナットを回転操作し、該大ナットの螺子軸に対する前後位置を変えることにより表示部の脚体に対する前後の傾き角度を調整することができる。
【００２５】
また、本発明によれば、上下及び横方向へ離隔する４箇所に脚体を固定することができ、また、この４箇所の螺子筒に螺着されたナット又は４箇所の螺子軸に螺着された大ナットを回転操作することにより、表示部の傾き角度を微調整することができ、表示面の傾き角度をより一層正確に調整することができる。
【発明を実施するための最良の形態】
【００２６】
以下本発明をその実施の形態を示す図面に基づいて詳述する。
実施の形態１
図１は表示装置の実施の形態１の要部の構成を示す拡大断面図、図２は表示装置の分解した概略斜視図、図３は表示装置の脚体を取外した状態を示す斜視図、図４は表示面の傾き角度を調整した状態を示す説明図である。
【００２７】
図示した表示装置はテレビ画像を表示する表示面を前側に有し、略直方体をなす表示部１と、該表示部１の後側下部に取外し可能に取着され、表示部１を起立状態で支持する脚体２とを備える薄型の液晶テレビである。
【００２８】
表示部１は前側に表示面を有する液晶のパネルと、該パネルの後側に配置された光学シートと、バックライト部と、電源基板等のテレビ基板１１と、これらパネル等の部品を支持する支持体１２と、表示面に対応する箇所が開放され、支持体１２及びパネル等の部品を収容するキャビネット１３とを備えており、支持体１２の後側に脚体２が取着されている。また、キャビネット１３の後面下部で横方向中央部に、脚体２の上部が挿通される貫通孔１３ａが設けられている。尚、キャビネット１３は表示部１の前側外周部を被覆する前キャビネット１３ｂと、該前キャビネット１３ｂに取外し可能に結合され表示部１の後側を被覆する後キャビネット１３ｃとを有する。
【００２９】
支持体１２は直方体をなす横長の枠部材と、周縁部が枠部材に結合され該枠部材の後側端を閉鎖する蓋板と、該蓋板の後側で長手方向中央部に配置され、上下端が枠部材に結合された補強板１２ａとを有し、内側にバックライト部が支持され、開放側にパネル及び光学シートが支持され、後側にテレビ基板１１が支持されている。
【００３０】
補強板１２ａの下部で、上下及び横方向へ離隔した４箇所には、軸心が前後方向となる４本の螺子筒３が固定されている。
【００３１】
螺子筒３は、内に螺子部３１を有し、外に螺子部３２を有し、補強板１２ａの後面に固定されている。
【００３２】
内外の螺子部３１，３２は同方向螺子であり、内の螺子部３１に雄螺子４が螺着され、外の螺子部３２にナット５が螺着されている。尚、ナット５が調整螺子を構成している。
【００３３】
ナット５は、回転操作により螺子筒３に対して前後へ移動し、一端が脚体２に当接し、脚体２に対する支持体１２、ひいては表示部１の前後位置を変えることができるように構成されている。
【００３４】
脚体２は螺子筒３の内の螺子部３１に対応する４箇所に挿通孔２１を有し、該挿通孔２１に挿通される雄螺子４により螺子筒３に取着される板状の被取着部２２と、下部に台座を有し、上部が被取着部２２の中央部に結合された支柱２３とを備え、被取着部２２の挿通孔２１周りに螺子筒３及びナット５の端面が当接している。挿通孔２１は外の螺子部３２より小径であり、螺子筒３の端面が被取着部２２を受止めている。
【００３５】
以上のように構成された表示装置は、螺子筒３及び雄螺子４が、取着手段を構成しており、雄螺子４を弛緩させることにより表示部１及び脚体２を前後へ相対回動させることができる。
【００３６】
表示部１に脚体２が取着される場合、表示面が下向きとなるように架台上に表示部１が載置された状態で、外の螺子部３２にナット５が螺着されている４つの螺子筒３に脚体２の被取着部２２が載置され、該被取着部２２の挿通孔２１に挿通される雄螺子４を螺子筒３の内の螺子部３１に緊締することにより被取着部２２を螺子筒３の端面に押圧し、被取着部２２を螺子筒３に固定する。このとき、ナット５の端面が被取着部２２に当接する。
【００３７】
この後、表示部１を起立させ、この起立状態を脚体２により維持する。このとき、表示部１の荷重が螺子筒３及びナット５から被取着部２２に加わる。
【００３８】
この表示部１を起立させた状態で、表示面が鉛直方向に対し前後に傾いているとき、ナット５を回転操作し、該ナット５の螺子筒３に対する前後位置を変えることにより表示部１を前後方向へ傾かせることができる。例えば、鉛直方向に対して表示面が後向き（上向き）に傾いているとき、上側に配置されている２つのナット５を回転操作し、螺子筒３に対して後側へ移動させることにより、被取着部２２に対して表示部１を前傾き側へ回動させることができ、表示面が鉛直方向となるように傾き角度を調整することができる。
【００３９】
また、鉛直方向に対して表示面が前向き（下向き）に傾いているとき、下側に配置されている２つのナット５を回転操作し、螺子筒３に対して後側へ移動させることにより、被取着部２２に対して表示部１を後傾き側へ回動させることができ、表示面が鉛直方向となるように傾き角度を調整することができる。
【００４０】
実施の形態２
図５は表示装置の実施の形態２の要部の構成を示す拡大断面図である。この表示装置は、螺子筒３を備える代わりに、外に大径及び小径の螺子部６１，６２を有する４本の螺子軸６を備え、小径の螺子部６２に螺着する小ナット７により脚体２を取着し、大径の螺子部６１に螺着する大ナット８により表示面の前後の傾きを調整することができるように構成したものである。
【００４１】
螺子軸６は、螺子筒３と同じく補強板１２ａに上下及び横方向へ離隔して固定されている。また、螺子軸６は大径の螺子部６１と、小径の螺子部６２とが径方向の段部６３により連なり、小径の螺子部６２に小ナット７が螺着され、大径の螺子部６１に大ナット８が螺着される。
【００４２】
被取着部２２には小径の螺子部６２に対応する４つの挿通孔２１が設けられている。
【００４３】
以上のように構成された表示装置は、螺子軸６及び小ナット７が、取着手段を構成しており、小ナット７を弛緩させることにより表示部１及び脚体２を前後へ相対回動させることができる。
【００４４】
この構成にあっては、被取着部２２の挿通孔２１に小径の螺子部６２が挿通され、該小径の螺子部６２に小ナット７が螺着される。この小ナット７を緊締することにより被取着部２２を螺子軸６の段部６３に押圧し、被取着部２２を螺子軸６に固定する。このとき、大ナット８の端面が被取着部２２に当接し、表示部１の荷重が螺子軸６及び大ナット８から被取着部２２に加わる。
【００４５】
表示部１が起立している状態で、表示面が鉛直方向に対し前後に傾いているとき、大ナット８を回転操作し、該大ナット８の螺子軸６に対する前後位置を変えることにより表示部１を前後方向へ傾かせることができる。
その他の構成及び作用は実施の形態１と同様であるため、同様の部品については同じ符号を付し、その詳細な説明及び作用効果の説明を省略する。
【００４６】
実施の形態３
図６は表示装置の実施の形態３の要部の構成を示す拡大断面図である。この表示装置は、表示部１の補強板１２ａに脚体２を取着する変わりに、表示部１の後側に複数本の柱体１４により座板１５を取着し、該座板１５に実施の形態１の取着手段により脚体２を取着し、取着手段の螺子筒３にナット５を螺着して表示面１の前後の傾きを調整することができるように構成したものである。
【００４７】
座板１５は複数本の小螺子により柱体１４に取外し可能に取着されている。また、座板１５の上下及び横方向へ離隔した４箇所には軸心が前後方向となる螺子筒３が固定されている。内の螺子部３１には雄螺子４が螺着され、外の螺子部３２には調整螺子としてのナット５が螺着されている。
【００４８】
脚体２の上端には座板１５と前後に離隔して対向する被取着部２２が設けられており、該被取着部２２の４箇所に、内の螺子部３１に対応する４つの挿通孔２１が設けられている。
【００４９】
以上の構成において、被取着部２２の挿通孔２１に雄螺子４を挿通し、該雄螺子４を内の螺子部３１に緊締することにより被取着部２２を螺子筒３の端面に押圧し、被取着部２２を螺子筒３に固定する。このとき、ナット５の端面が被取着部２２に当接し、表示部１の荷重が螺子筒３及びナット５から被取着部２２に加わる。
【００５０】
表示部１が起立している状態で、表示面が鉛直方向に対し前後に傾いているとき、ナット５を回転操作し、該ナット５の螺子筒３に対する前後位置を変えることにより表示部１を前後方向へ傾かせることができる。
その他の構成及び作用は実施の形態１と同様であるため、同様の部品については同じ符号を付し、その詳細な説明及び作用効果の説明を省略する。
【００５１】
尚、以上説明した実施の形態では取着手段を構成する螺子筒３又は螺子軸６に螺着された調整螺子（ナット５、大ナット８）を備える構成としたが、その他、調整螺子は取着手段と上下へ離隔した箇所に設ける構成としてもよい。この場合、例えば図７、図８、図９に示すように構成する。
【００５２】
図７は上下方向の一箇所に取着手段Ａを設け、該取着手段Ａに対して上、下へ離隔した箇所に、表示部１側に固定の螺子筒３に螺着されたナット５を設け、該ナット５を回転操作することにより表示部１を、取着手段Ａによる取着箇所を中心として前後方向へ回動させ得るように構成してある。取着手段Ａは内に螺子部３１を有する螺子筒３ａと、螺子部３１に螺着される雄螺子４とを備えており、雄螺子４を弛緩させることにより表示部１及び脚体２を前後へ相対回動させることができる。
【００５３】
図８は上下方向の一箇所に取着手段Ａを設け、該取着手段Ａに対して上、下へ離隔した箇所に、脚体２の被取着部２２に螺着され、端面が表示部１側部材に当接する雄螺子９（調整螺子）を設け、該雄螺子９を回転操作することにより表示部１を、取着手段Ａによる取着箇所を中心として前後方向へ回動させ得るように構成してある。取着手段Ａは内に螺子部３１を有する螺子筒３ａと、螺子部３１に螺着される雄螺子４とを備えており、雄螺子４を弛緩させることにより表示部１及び脚体２を前後へ相対回動させることができる。尚、図８中、２２ａは雄螺子９が螺着されている螺子孔である。
【００５４】
図９は上下方向の一箇所に取着手段Ａを設け、該取着手段Ａに対して上へ離隔した箇所に、一端部が脚体２の被取着部２２に螺着され、他端部が表示部１側に回転だけを可能に取付けられた雄螺子１０（調整螺子）を設け、該雄螺子１０を回転操作することにより表示部１を、取着手段Ａによる取着箇所を中心として前後方向へ回動させ得るように構成してある。取着手段Ａは内に螺子部３１を有する螺子筒３ａと、螺子部３１に螺着される雄螺子４とを備えており、雄螺子４を弛緩させることにより表示部１及び脚体２を前後へ相対回動させることができる。尚、図９中、２２ｂは雄螺子１０が回転自在に支持された挿通孔、２３は雄螺子１０の軸長方向への移動を阻止する止め輪である。
【００５５】
また、以上説明した実施の形態では表示部１側の補強板１２ａに螺子筒３又は螺子軸６を設け、脚体２に挿通孔２１を設け、螺子筒３又は螺子軸６に調整螺子を螺着した構成としたが、その他、螺子筒３又は螺子軸６を脚体２に設け、挿通孔２１を表示部１側の部材に設ける構成としてもよい。
【００５６】
また、本発明に係る表示装置は液晶テレビ等の液晶表示装置である他、プラズマ表示装置、ＥＬディスプレイ等の表示装置であってもよい。
【図面の簡単な説明】
【００５７】
【図１】本発明に係る表示装置の実施の形態１の要部の構成を示す拡大断面図である。
【図２】本発明に係る表示装置の分解した概略斜視図である。
【図３】本発明に係る表示装置の脚体を取外した状態を示す斜視図である。
【図４】本発明に係る表示装置の表示面の傾き角度を調整した状態を示す説明図である。
【図５】本発明に係る表示装置の実施の形態２の要部の構成を示す拡大断面図である。
【図６】本発明に係る表示装置の実施の形態３の要部の構成を示す拡大断面図である。
【図７】本発明に係る表示装置の他の構成を示す要部の拡大断面図である。
【図８】本発明に係る表示装置の他の構成を示す要部の拡大断面図である。
【図９】本発明に係る表示装置の他の構成を示す要部の拡大断面図である。
【符号の説明】
【００５８】
１    表示部
２    脚体
３，３ａ  螺子筒
３１  内の螺子部
３２  外の螺子部
４    雄螺子
５    ナット（調整螺子）
６    螺子軸
６１  大径の螺子部
６２  小径の螺子部
７    小ナット
８    大ナット（調整螺子）
９    雄螺子（調整螺子）
１０  雄螺子（調整螺子）
【図１】
2007322724.tif 000003
【図２】
2007322724.tif 000004
【図３】
2007322724.tif 000005
【図４】
2007322724.tif 000006
【図５】
2007322724.tif 000007
【図６】
2007322724.tif 000008
【図７】
2007322724.tif 000009
【図８】
2007322724.tif 000010
【図９】
2007322724.tif 000011